(57)【要約】リレー端末（２）は、選択支援情報をリモート端末（１）に送信する。選択支援情報は、基地局（３）から送信されリレー端末（２）によって受信された第１の情報要素を含む。第１の情報要素は、基地局（３）の周波数帯；システム帯域幅；ダウンリンク送信電力；ＵＬ／ＤＬコンフィグレーション；リレー端末に提供されるセルの数；セルの種別；基地局（３）とリレー端末（２）との間で使用されるＲＡＴ又は通信方式；及び基地局を提供するモバイルオペレータの名称又は識別子；のうち少なくとも１つを示す。これにより、例えば、リレー選択の妥当性を高めることに寄与できる。
2018105158.tif 000002
【特許請求の範囲】
【請求項１】
無線端末であって、
メモリと、
前記メモリに結合された少なくとも１つのプロセッサと、
を備え、
前記少なくとも１つのプロセッサは、１又は複数のリレー端末の各々から選択支援情報を受信し、前記選択支援情報に基づいて、前記１又は複数のリレー端末の中から前記無線端末に適した少なくとも１つの特定のリレー端末を選択するよう構成され、
各特定のリレー端末は、各特定のリレー端末と前記無線端末との間のデバイス・ツー・デバイス（D2D）リンク及び各特定のリレー端末と基地局との間のバックホールリンクを介して、前記無線端末と前記基地局との間でトラフィックを中継し、
前記選択支援情報は、前記基地局から送信され各リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が各リレー端末に提供する各セルのアップリンク・ダウンリンク コンフィグレーション、
（ｅ）前記基地局が各リレー端末に提供するセルの数、
（ｆ）前記基地局が各リレー端末に提供する１又はそれ以上のセルの種別、
（ｇ）前記基地局と各リレー端末との間で使用されるRadio Access Technology（RAT）又は通信方式、及び
（ｈ）前記基地局を提供するモバイルオペレータの名称又は識別子、
無線端末。
【請求項２】
前記第１の情報要素は、前記基地局がサポートするシステム帯域幅を少なくとも示す、
請求項１に記載の無線端末。
【請求項３】
前記第１の情報要素は、前記基地局がリレーUEに提供する各セルのアップリンク・ダウンリンク コンフィグレーションを少なくとも示す、
請求項１又は２に記載の無線端末。
【請求項４】
前記選択支援情報は、各リレー端末から前記基地局へのアップリンク送信の品質を示す第２の情報要素をさらに含む、
請求項１〜３のいずれか１項に記載の無線端末。
【請求項５】
前記第２の情報要素は、各リレー端末の最大送信電力を表すパワークラス情報若しくは各リレー端末のアップリンク通信性能を表す端末カテゴリ情報又は両方を含む、
請求項４に記載の無線端末。
【請求項６】
前記第２の情報要素は、各リレー端末の前記アップリンク送信に適用されるModulation and Coding Scheme（MCS）の推定値を含む、
請求項４又は５に記載の無線端末。
【請求項７】
前記選択支援情報は、前記基地局の負荷を示す第３の情報要素をさらに含む、
請求項１〜６のいずれか１項に記載の無線端末。
【請求項８】
前記選択支援情報は、各リレー端末の負荷を示す第４の情報要素をさらに含む、
請求項１〜７のいずれか１項に記載の無線端末。
【請求項９】
前記第４の情報要素は、各リレー端末と接続又は通信している他のリモート端末の数を示す、
請求項８に記載の無線端末。
【請求項１０】
前記少なくとも１つのプロセッサは、前記他のリモート端末の数が小さいリレー端末ほど前記少なくとも１つの特定のリレー端末に優先的に選択するよう構成されている、
請求項９に記載の無線端末。
【請求項１１】
前記選択支援情報は、前記基地局と各リレー端末との間のパスロスを示す第５の情報要素をさらに含む、
請求項１〜１０のいずれか１項に記載の無線端末。
【請求項１２】
前記少なくとも１つのプロセッサは、前記１又は複数のリレー端末のいずれかを介するリレー経路と、前記無線端末と前記基地局又は他の基地局との間の直接的な無線リンクのどちらを前記無線端末の通信のために使用するかを決定するよう構成されている、
請求項１〜１１のいずれか１項に記載の無線端末。
【請求項１３】
リレー端末であって、
メモリと、
前記メモリに結合された少なくとも１つのプロセッサと、
を備え、
前記少なくとも１つのプロセッサは、
リモート端末に選択支援情報を送信するよう構成され、且つ
前記リレー端末と前記リモート端末との間のデバイス・ツー・デバイス（D2D）リンク及び前記リレー端末と基地局との間のバックホールリンクを介して、前記リモート端末と前記基地局との間でトラフィックを中継するよう構成され、
前記選択支援情報は、前記基地局から送信され前記リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が前記リレー端末に提供する各セルのアップリンク・ダウンリンク コンフィグレーション、
（ｅ）前記基地局が前記リレー端末に提供するセルの数、
（ｆ）前記基地局が前記リレー端末に提供する１又はそれ以上のセルの種別、
（ｇ）前記基地局と前記リレー端末との間で使用されるRadio Access Technology（RAT）又は通信方式、及び
（ｈ）前記基地局を提供するモバイルオペレータの名称又は識別子、
リレー端末。
【請求項１４】
前記選択支援情報は、１又は複数のリレー端末の中から前記リモート端末に適した少なくとも１つの特定のリレー端末を選択することを前記リモート端末に引き起こす、
請求項１３に記載のリレー端末。
【請求項１５】
前記選択支援情報は、１又は複数のリレー端末のいずれかを介するリレー経路と、前記リモート端末と前記基地局又は他の基地局との間の直接的な無線リンクのどちらを前記リモート端末の通信のために使用するかを決定することを前記リモート端末に引き起こす、
請求項１３又は１４に記載のリレー端末。
【請求項１６】
前記第１の情報要素は、前記基地局がサポートするシステム帯域幅を少なくとも示す、
請求項１３〜１５のいずれか１項に記載のリレー端末。
【請求項１７】
前記第１の情報要素は、前記基地局がリレーUEに提供する各セルのアップリンク・ダウンリンク コンフィグレーションを少なくとも示す、
請求項１３〜１６のいずれか１項に記載のリレー端末。
【請求項１８】
前記選択支援情報は、前記リレー端末から前記基地局へのアップリンク送信の品質を示す第２の情報要素をさらに含む、
請求項１３〜１７のいずれか１項に記載のリレー端末。
【請求項１９】
前記第２の情報要素は、前記リレー端末の最大送信電力を表すパワークラス情報若しくは各リレー端末のアップリンク通信性能を表す端末カテゴリ情報又は両方を含む、
請求項１８に記載のリレー端末。
【請求項２０】
前記第２の情報要素は、各リレー端末の前記アップリンク送信に適用されるModulation and Coding Scheme（MCS）の推定値を含む、
請求項１８又は１９に記載のリレー端末。
【請求項２１】
前記選択支援情報は、前記基地局の負荷を示す第３の情報要素をさらに含む、
請求項１３〜２０のいずれか１項に記載のリレー端末。
【請求項２２】
前記選択支援情報は、前記リレー端末の負荷を示す第４の情報要素をさらに含む、
請求項１３〜２１のいずれか１項に記載のリレー端末。
【請求項２３】
前記第４の情報要素は、前記リレー端末と接続又は通信している他のリモート端末の数を示す、
請求項２２に記載のリレー端末。
【請求項２４】
前記選択支援情報は、前記基地局と前記リレー端末との間のパスロスを示す第５の情報要素をさらに含む、
請求項１３〜２３のいずれか１項に記載のリレー端末。
【請求項２５】
無線端末における方法であって、
１又は複数のリレー端末の各々から選択支援情報を受信すること、及び
前記選択支援情報に基づいて、前記１又は複数のリレー端末の中から前記無線端末に適した少なくとも１つの特定のリレー端末を選択すること、
を備え、
各特定のリレー端末は、各特定のリレー端末と前記無線端末との間のデバイス・ツー・デバイス（D2D）リンク及び各特定のリレー端末と基地局との間のバックホールリンクを介して、前記無線端末と前記基地局との間でトラフィックを中継するよう構成され、
前記選択支援情報は、前記基地局から送信され各リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が各リレー端末に提供する各セルのアップリンク・ダウンリンク コンフィグレーション、
（ｅ）前記基地局が各リレー端末に提供するセルの数、
（ｆ）前記基地局が各リレー端末に提供する１又はそれ以上のセルの種別、
（ｇ）前記基地局と各リレー端末との間で使用されるRadio Access Technology（RAT）又は通信方式、及び
（ｈ）前記基地局を提供するモバイルオペレータの名称又は識別子、
方法。
【請求項２６】
リレー端末における方法であって、
リモート端末に選択支援情報を送信すること、及び
前記リレー端末と前記リモート端末との間のデバイス・ツー・デバイス（D2D）リンク及び前記リレー端末と基地局との間のバックホールリンクを介して、前記リモート端末と前記基地局との間でトラフィックを中継すること、
を備え、
前記選択支援情報は、前記基地局から送信され前記リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が前記リレー端末に提供する各セルのアップリンク・ダウンリンク コンフィグレーション、
（ｅ）前記基地局が前記リレー端末に提供するセルの数、
（ｆ）前記基地局が前記リレー端末に提供する１又はそれ以上のセルの種別、
（ｇ）前記基地局と前記リレー端末との間で使用されるRadio Access Technology（RAT）又は通信方式、及び
（ｈ）前記基地局を提供するモバイルオペレータの名称又は識別子、
方法。
【請求項２７】
無線端末における方法をコンピュータに行わせるためのプログラムを格納した非一時的なコンピュータ可読媒体であって、
前記方法は、
１又は複数のリレー端末の各々から選択支援情報を受信すること、及び
前記選択支援情報に基づいて、前記１又は複数のリレー端末の中から前記無線端末に適した少なくとも１つの特定のリレー端末を選択すること、
を備え、
各特定のリレー端末は、各特定のリレー端末と前記無線端末との間のデバイス・ツー・デバイス（D2D）リンク及び各特定のリレー端末と基地局との間のバックホールリンクを介して、前記無線端末と前記基地局との間でトラフィックを中継するよう構成され、
前記選択支援情報は、前記基地局から送信され各リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が各リレー端末に提供する各セルのアップリンク・ダウンリンク コンフィグレーション、
（ｅ）前記基地局が各リレー端末に提供するセルの数、
（ｆ）前記基地局が各リレー端末に提供する１又はそれ以上のセルの種別、
（ｇ）前記基地局と各リレー端末との間で使用されるRadio Access Technology（RAT）又は通信方式、及び
（ｈ）前記基地局を提供するモバイルオペレータの名称又は識別子、
非一時的なコンピュータ可読媒体。
【請求項２８】
リレー端末における方法をコンピュータに行わせるためのプログラムを格納した非一時的なコンピュータ可読媒体であって、
前記リレー端末は、前記リレー端末とリモート端末との間のデバイス・ツー・デバイス（D2D）リンク及び前記リレー端末と基地局との間のバックホールリンクを介して、前記リモート端末と前記基地局との間でトラフィックを中継するよう構成され、
前記方法は、前記リモート端末に選択支援情報を送信することを備え、
前記選択支援情報は、前記基地局から送信され前記リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が前記リレー端末に提供する各セルのアップリンク・ダウンリンク コンフィグレーション、
（ｅ）前記基地局が前記リレー端末に提供するセルの数、
（ｆ）前記基地局が前記リレー端末に提供する１又はそれ以上のセルの種別、
（ｇ）前記基地局と前記リレー端末との間で使用されるRadio Access Technology（RAT）又は通信方式、及び
（ｈ）前記基地局を提供するモバイルオペレータの名称又は識別子、
非一時的なコンピュータ可読媒体。
【発明の詳細な説明】
【技術分野】
【０００１】
本開示は、端末間直接通信（device-to-device（D2D）通信）に関し、特にリレー端末の選択に関する。
【背景技術】
【０００２】
幾つかの実装において、無線端末は、他の無線端末と直接的に通信できるよう構成される。このような通信は、device-to-device（D2D）通信と呼ばれる。D2D通信は、ダイレクト通信およびダイレクト・ディスカバリの少なくとも一方を含む。幾つかの実装において、D2D通信をサポートする複数の無線端末は、自律的に又はネットワークの指示に従ってD2D通信グループを形成し、当該D2D通信グループ内の他の無線端末と通信を行う。【０００３】
Third Generation Partnership Project (3GPP) Release 12は、Proximity-based services（ProSe）について規定している（例えば、非特許文献１を参照）。ProSeは、ProSeディスカバリ（ProSe discovery）及びProSeダイレクト通信（ProSe direct communication）を含む。ProSeディスカバリは、無線端末が近接していること（in proximity）の検出を可能にする。ProSeディスカバリは、ダイレクト・ディスカバリ（ProSe Direct Discovery）及びネットワークレベル・ディスカバリ（EPC-level ProSe Discovery）を含む。【０００４】
ProSeダイレクト・ディスカバリは、ProSeを実行可能な無線端末（ProSe-enabled User Equipment（UE））が他のProSe-enabled UEをこれら２つのUEが有する無線通信技術（例えば、Evolved Universal Terrestrial Radio Access (E-UTRA) technology）の能力だけを用いて発見する手順により行われる。これに対して、EPC-level ProSe Discoveryでは、コアネットワーク（Evolved Packet Core (EPC)）が２つのProSe-enabled UEsの近接を判定し、これをこれらのUEsに知らせる。ProSeダイレクト・ディスカバリは、３つ以上のProSe-enabled UEsにより行われてもよい。【０００５】
ProSeダイレクト通信は、ProSeディスカバリ手順の後に、ダイレクト通信レンジ内に存在する２以上のProSe-enabled UEsの間の通信パスの確立を可能にする。言い換えると、ProSeダイレクト通信は、ProSe-enabled UEが、基地局（eNodeB）を含む公衆地上移動通信ネットワーク（Public Land Mobile Network (PLMN)）を経由せずに、他のProSe-enabled UEと直接的に通信することを可能にする。ProSeダイレクト通信は、基地局（eNodeB）にアクセスする場合と同様の無線通信技術（E-UTRA technology）を用いて行われてもよいし、non-3GPP無線技術、例えばwireless local area network (WLAN)無線技術（つまり、IEEE 802.11 radio technology）又はBluetooth（登録商標）無線技術を用いて行われてもよい。【０００６】
ProSeダイレクト・ディスカバリ及びProSeダイレクト通信は、UE間のダイレクトインタフェースにおいて行われる。当該ダイレクトインタフェースは、PC5インタフェース又はサイドリンク（sidelink）と呼ばれる。すなわち、ProSeダイレクト・ディスカバリ及びProSeダイレクト通信は、D2D通信の一例である。なお、D2D通信は、サイドリンク通信と呼ぶこともでき、peer-to-peer通信と呼ぶこともできる。【０００７】
3GPP Release 12では、ProSe functionが公衆地上移動通信ネットワーク（PLMN）を介してProSe-enabled UEと通信し、ProSeディスカバリ及びProSeダイレクト通信を支援（assist）する。ProSe functionは、ProSeのために必要なPLMNに関連した動作に用いられる論理的な機能（logical function）である。ProSe functionによって提供される機能（functionality）は、例えば、（ａ）third-party applications（ProSe Application Server）との通信、（ｂ）ProSeディスカバリ及びProSeダイレクト通信のためのUEの認証、（ｃ）ProSeディスカバリ及びProSeダイレクト通信のための設定情報（例えば、EPC-ProSe-User IDなど）のUEへの送信、並びに（ｄ）ネットワークレベル・ディスカバリ（i.e., EPC-level ProSe discovery）の提供、を含む。ProSe functionは、１又は複数のネットワークノード又はエンティティに実装されてもよい。本明細書では、ProSe functionを実行する１又は複数のネットワークノード又はエンティティを“ProSe function エンティティ”又は“ProSe functionサーバ”と呼ぶ。【０００８】
さらに、3GPP Release 12は、一方のUEがネットワークカバレッジ外であり、他方のUEがネットワークカバレッジ内であるパーシャルカバレッジ・シナリオについて規定している（例えば、非特許文献１のセクション4.4.3、4.5.4および5.4.4を参照）。パーシャルカバレッジ・シナリオにおいて、カバレッジ外のUEはremote UEと呼ばれ、カバレッジ内かつremote UEとネットワークを中継するUEはProSe UE-to-Network Relayと呼ばれる。ProSe UE-to-Network Relayは、remote UEとネットワーク（E-UTRA  network（E-UTRAN）及びEPC）との間でトラフィック（ダウンリンク及びアップリンク）を中継する。【０００９】
より具体的に述べると、ProSe UE-to-Network Relayは、UEとしてネットワークにアタッチし、ProSe function エンティティ又はその他のPacket Data Network（PDN）と通信するためのPDN connectionを確立し、ProSeダイレクト通信を開始するためにProSe function エンティティと通信する。ProSe UE-to-Network Relayは、さらに、remote UEとの間でディスカバリ手順を実行し、UE間ダイレクトインタフェース（e.g., サイドリンク又はPC5インタフェース）においてremote UEと通信し、remote UEとネットワークとの間でトラフィック（ダウンリンク及びアップリンク）を中継する。Internet Protocol version 4（IPv4）が用いられる場合、ProSe UE-to-Network Relayは、Dynamic Host Configuration Protocol Version 4 (DHCPv4) Server及びNetwork Address Translation (NAT) として動作する。IPv6が用いられる場合、ProSe UE-to-Network Relayは、stateless DHCPv6 Relay Agentとして動作する。【００１０】
さらに、3GPP Release 13及びRelease 14ではProSeの拡張が議論されている（例えば、非特許文献２−８を参照）。当該議論は、ProSe UE-to-Network Relay 及びProSe UE-to-UE Relayを選択するためのリレー選択基準（relay selection criteria）に関する議論、及びリレー選択の配置を含むリレー選択手順に関する議論を含む。ここで、ProSe UE-to-UE Relayは、２つのremote UEの間でトラフィックを中継するUEである。【００１１】
UE-to-Network Relayのリレー選択の配置に関しては、リモートUEがリレー選択を行う分散（distributed）リレー選択アーキテクチャ（例えば、非特許文献３−５、７、及び８を参照）と、基地局（eNodeB（eNB））等のネットワーク内の要素がリレー選択を行う集中（centralized）リレー選択アーキテクチャ（例えば、非特許文献６及び７を参照）が提案されている。UE-to-Network Relayのリレー選択基準に関しては、リモートUEとリレーUEの間のD2Dリンク品質を考慮すること、リレーUEとeNBの間のバックホールリンク品質を考慮すること、並びにD2Dリンク品質及びバックホールリンク品質の両方を考慮することが提案されている（例えば、非特許文献３−８を参照）。【００１２】
例えば、非特許文献３−５は、分散（distributed）リレー選択においてD2Dリンク品質及びバックホールリンク品質の両方を考慮することを記載している。一例において、リモートUEは、w * D2D link quality + (1-w) * backhaul link qualityという評価式を用いてD2Dリンク品質及びバックホールリンク品質の両方を考慮する、ここでwは予め設定される定数である（非特許文献３を参照）。幾つかの実装において、リレーUEは、リモートUEによるリレー選択をアシストするために、バックホールリンク（リレーUEとeNBの間）の無線品質を示すディスカバリメッセージを送信する（非特許文献４を参照）。これに代えて、リレーUEは、リモートUEによるリレー選択をアシストするために、バックホールリンクの無線品質を暗示的に（implicitly）リモートUEに示してもよい。バックホールリンクの無線品質を暗示的に示すために、例えば、ディスカバリ信号内の優先度情報（priority information）が使用される（非特許文献５を参照）。【００１３】
例えば、非特許文献６は、集中（centralized）リレー選択においてD2Dリンク品質及びバックホールリンク品質の両方を考慮することを記載している。一例において、リモートUEはD2Dリンク品質をeNBに報告し、eNBは報告されたD2Dリンク品質と（報告された）バックホールリンク品質を考慮してリモートUEのためのリレーを選択する。バックホールリンク品質は、既存のセルラーネットワークにおけるeNBによる測定又はリレーUEによる測定報告によって取得されてもよい。【００１４】
例えば、非特許文献７及び８は、eNBが、バックホールリンク品質を考慮して１又は複数のリレー候補（candidate）UEを選択する。これらのリレー候補UEのみがリレーディスカバリ手順においてリモートUEにより発見されることができる。リモートUEは、D2Dリンク品質に基づいて１又は複数のリレー候補の中からリレーを選択する。バックホールリンク品質はeNBによるリレー候補の選択の際に考慮されているから、したがってリモートUEによるリレー選択にも間接的に考慮されている。【００１５】
本明細書では、ProSe UE-to-Network Relay及びProSe UE-to-UE RelayのようなD2D通信能力およびリレー能力を持つ無線端末を「リレー無線端末」、又は「リレーUE」と呼ぶ。また、リレーUEによる中継サービスを受ける無線端末を「リモート無線端末」又は「リモートUE」と呼ぶ。
【先行技術文献】
【特許文献】
【００１６】
【特許文献１】特開２０１６−０９６４８９号公報
【特許文献２】特開２０１３−０９３７８１号公報
【非特許文献】
【００１７】
【非特許文献１】3GPP TS 23.303 V13.2.0 (2015-12), “3rd Generation Partnership Project; Technical Specification Group Services and System Aspects; Proximity-based services (ProSe); Stage 2 (Release 13)”, December 2015
【非特許文献２】3GPP TR 23.713 V13.0.0 (2015-09), “3rd Generation Partnership Project; Technical Specification Group Services and System Aspects; Study on extended architecture support for proximity-based services (Release 13)”, September 2015
【非特許文献３】3GPP R1-152778, “Support of UE-Network relays”, Qualcomm Incorporated, May 2015
【非特許文献４】3GPP S2-150925, “UE-to-Network Relay conclusions”, Qualcomm Incorporated, April 2015
【非特許文献５】3GPP R1-153087, “Discussion on UE-to-Network Relay measurement”, Sony, May 2015
【非特許文献６】3GPP R2-152560, “Role of eNB when remote UE is in coverage”, Qualcomm Incorporated, May 2015
【非特許文献７】3GPP R1-151965, “Views on UE-to-Network Relay Discovery”, NTT DOCOMO, April 2015
【非特許文献８】3GPP R1-153188, “Discussion on Relay Selection” , NTT DOCOMO, May 2015
【発明の概要】
【発明が解決しようとする課題】
【００１８】
発明者は、リレー選択に関する検討を行い、以下に具体的に示される課題を含む幾つかの課題を見出し、これらの課題に対処するための幾つかの改良を考案した。【００１９】
例えば、非特許文献３−８は、D2Dリンク品質及びバックホールリンク品質のいずれか又は両方がリモートUEのためのリレー選択において考慮されることを記載している。具体的には、非特許文献３は、バックホールリンク品質の具体例としてダウンリンク（DL）Reference Signal Received Power（RSRP）及びDL Signal-to-Interference plus Noise Ratio（SINR）を示し、バックホールリンクのDL RSRP又はDL SINRがリレー選択において考慮されることを記載している。しかしながら、非特許文献３−８は、eNBとリレーUEとの間のバックホールリンクに関するその他の指標又はパラメータがリレー選択のために考慮されることについて開示していない。【００２０】
最良のDL RSRPを持つリレーUEが必ずしも最良のスループットをリモートUEに提供できるとは限らない。一例として、最良のDL RSRPを持つ第１のリレーUEが利用できるシステム帯域（e.g., 20 MHz）よりも他のリレーUE（第２のリレーUE）が利用できるシステム帯域幅（e.g., 100 MHz）のほうが大きい場合、第１のリレーUEよりも第２のリレーUEのほうがリモートUEに高いスループットを提供できるかもしれない。あるいは、最良のDL RSRPを持つ第１のリレーUEと基地局との間で使用されるRadio Access Technology（RAT）（e.g., Long Term Evolution（LTE））よりも第２のリレーUEと基地局との間で使用されるRAT（e.g., New Radio（NR）、5G RAT）のほうが高速通信をサポートする場合、第１のリレーUEよりも第２のリレーUEのほうがリモートUEに高いスループットを提供できるかもしれない。【００２１】
なお、特許文献１は、基地局からの報知メッセージ（e.g., Earthquake and Tsunami Warning System（ETWS）情報）又は制御メッセージ（e.g., カバレッジ内で使用されるD2D無線リソースを示す割当情報）をリレーUEがリモートUEにD2Dパス上で転送することを開示している。しかしながら、特許文献１は、基地局からの報知メッセージ及び制御メッセージをリモートUEがリレーUE選択のために使用することを何ら開示していない。【００２２】
特許文献２は、基地局（アンカーAccess Point（AP））が、リモートUE（端末）と通信するための１つの経路を、１又はそれ以上のリレー（ドリフトAP）を経由して当該端末に至る複数の経路の中から選択することを開示している。経路選択のための指標は、経路品質に関する指標を含む。例えば、経路品質指標は、各無線区間の電界強度、signal to interference and noise ratio（SINR）、carrier to interference and noise ratio（CINR）、パケットロス率、ホップ数などを含む。さらに、経路品質指標は、リレー（ドリフトAP）若しくはリモートUE（端末）又はこれら両方の無線資源の余力（又は残存する無線リソース量）を示してもよい。さらに、経路品質指標は、リレー（ドリフトAP）若しくはリモートUE（端末）又はこれら両方の処理能力を示してもよい。しかしながら、特許文献２は、基地局による集中（centralized）リレー選択について教示しているのみである。したがって、特許文献２は、リモートUEによる分散（distributed）に使用される何らかの情報をリレーUEがリモートUEに送ることについて開示していない。【００２３】
本明細書に開示される実施形態が達成しようとする目的の１つは、リレー選択の妥当性（appropriateness）を高めることに寄与する装置、方法、及びプログラムを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００２４】
第１の態様では、無線端末は、メモリと、前記メモリに結合された少なくとも１つのプロセッサとを含む。前記少なくとも１つのプロセッサは、１又は複数のリレー端末の各々から選択支援情報を受信し、前記選択支援情報に基づいて、前記１又は複数のリレー端末の中から前記無線端末に適した少なくとも１つの特定のリレー端末を選択するよう構成される。各特定のリレー端末は、各特定のリレー端末と前記無線端末との間のデバイス・ツー・デバイス（D2D）リンク及び各特定のリレー端末と基地局との間のバックホールリンクを介して、前記無線端末と前記基地局との間でトラフィックを中継する。前記選択支援情報は、前記基地局から送信され各リレー端末によって受信された第１の情報要素を含む。前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が各リレー端末に提供する各セルのアップリンク・ダウンリンク コンフィグレーション、
（ｅ）前記基地局が各リレー端末に提供するセルの数、
（ｆ）前記基地局が各リレー端末に提供する１又はそれ以上のセルの種別、
（ｇ）前記基地局と各リレー端末との間で使用されるRadio Access Technology（RAT）又は通信方式、及び
（ｈ）前記基地局を提供するモバイルオペレータの名称又は識別子。【００２５】
第２の態様では、リモート端末は、メモリと、前記メモリに結合された少なくとも１つのプロセッサとを含む。前記少なくとも１つのプロセッサは、リモート端末に選択支援情報を送信するよう構成される。さらに、前記少なくとも１つのプロセッサは、前記リレー端末と前記リモート端末との間のデバイス・ツー・デバイス（D2D）リンク及び前記リレー端末と基地局との間のバックホールリンクを介して、前記リモート端末と前記基地局との間でトラフィックを中継するよう構成される。前記選択支援情報は、前記基地局から送信され前記リレー端末によって受信された第１の情報要素を含む。前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が前記リレー端末に提供する各セルのアップリンク・ダウンリンク コンフィグレーション、
（ｅ）前記基地局が前記リレー端末に提供するセルの数、
（ｆ）前記基地局が前記リレー端末に提供する１又はそれ以上のセルの種別、
（ｇ）前記基地局と前記リレー端末との間で使用されるRadio Access Technology（RAT）又は通信方式、及び
（ｈ）前記基地局を提供するモバイルオペレータの名称又は識別子。【００２６】
第３の態様では、無線端末における方法は、１又は複数のリレー端末の各々から選択支援情報を受信すること、及び前記選択支援情報に基づいて、前記１又は複数のリレー端末の中から前記無線端末に適した少なくとも１つの特定のリレー端末を選択すること、を含む。前記選択支援情報は、第１の態様におけるそれと同様である。【００２７】
第４の態様では、リレー端末における方法は、リモート端末に選択支援情報を送信すること、及び前記リレー端末と前記リモート端末との間のデバイス・ツー・デバイス（D2D）リンク及び前記リレー端末と基地局との間のバックホールリンクを介して、前記リモート端末と前記基地局との間でトラフィックを中継すること、を含む。前記選択支援情報は、第２の態様におけるそれと同様である。【００２８】
第５の態様では、プログラムは、コンピュータに読み込まれた場合に、上述の第３又は第４の態様に係る方法をコンピュータに行わせるための命令群（ソフトウェアコード）を含む。
【発明の効果】
【００２９】
上述の態様によれば、リレー選択の妥当性（appropriateness）を高めることに寄与する装置、方法、及びプログラムを提供できる。
【図面の簡単な説明】
【００３０】
【図１】幾つかの実施形態に係る無線通信ネットワークの構成例を示す図である。
【図２】幾つかの実施形態に係る無線通信ネットワークの構成例を示す図である。
【図３】幾つかの実施形態に係る無線通信ネットワークの構成例を示す図である。
【図４】幾つかの実施形態に係るリレーを開始するための手順の一例を示すシーケンス図である。
【図５】第１の実施形態に係るリレーを開始するための手順の一例を示すシーケンス図である。
【図６】第１の実施形態に係るリレーを開始するための手順の一例を示すシーケンス図である。
【図７】第１の実施形態に係るリレー選択手順の一例を示すフローチャートである。
【図８】幾つかの実施形態に係る無線端末の構成例を示すブロック図である。
【図９】幾つかの実施形態に係る基地局の構成例を示すブロック図である。
【発明を実施するための形態】
【００３１】
以下では、具体的な実施形態について、図面を参照しながら詳細に説明する。各図面において、同一又は対応する要素には同一の符号が付されており、説明の明確化のため、必要に応じて重複説明は省略される。
【００３２】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００３３】
＜第１の実施形態＞
図１は、本実施形態を含むいくつかの実施形態に係る無線通信ネットワークの構成例を示している。具体的には、図１は、UE-to-Network Relayに関する例を示している。すなわち、リモートUE１は、少なくとも１つの無線トランシーバを有し、D2Dリンク１０２（e.g., PC5インタフェース又はサイドリンク）上で１又は複数のリレーUE２とD2D通信（e.g., ProSeダイレクト・ディスカバリ及びProSeダイレクト通信）を行うよう構成されている。また、図１には示されていないが、リモートUE１は、１又は複数の基地局３により提供されるセルラーカバレッジ３１内においてセルラー通信を行うよう構成されている。セルラーカバレッジ３１は、１又はそれ以上のセルを含む。
【００３４】
リレーUE２は、少なくとも１つの無線トランシーバを有し、セルラーカバレッジ３１内において基地局３とのセルラーリンク１０１においてセルラー通信を行うとともに、D2Dリンク１０２上でリモートUE１とD2D通信（e.g., ProSeダイレクト・ディスカバリ及びProSeダイレクト通信）を行うよう構成されている。
【００３５】
基地局３は、無線アクセスネットワーク（i.e., E-UTRAN）内に配置されたエンティティであり、１又は複数のセルを含むセルラーカバレッジ３１を提供し、セルラー通信技術（e.g., E-UTRA technology）を用いてリレーUE２とセルラーリンク１０１において通信することができる。さらに、基地局３は、リモートUE１がセルラーカバレッジ３１内にいる場合に、リモートUE１とセルラー通信を行うよう構成されている。
【００３６】
コアネットワーク（i.e., Evolved Packet Core（EPC））４は、複数のユーザープレーン・エンティティ（e.g., Serving Gateway (S-GW)及びPacket Data Network Gateway (P-GW)）、及び複数のコントロールプレーン・エンティティ（e.g., Mobility Management Entity（MME）及びHome Subscriber Server（HSS））を含む。複数のユーザープレーン・エンティティは、基地局３を含む無線アクセスネットワークと外部ネットワークとの間でリモートUE１及びリレーUE２のユーザデータを中継する。複数のコントロールプレーン・エンティティは、リモートUE１及びリレーUE２のモビリティ管理、セッション管理（ベアラ管理）、加入者情報管理、及び課金管理を含む様々な制御を行う。
【００３７】
いくつかの実装において、近接サービス（e.g., 3GPP ProSe）を利用するために、リモートUE１及びリレーUE２は、基地局３及びコアネットワーク４を介してD2Dコントローラ５と通信するよう構成される。例えば、3GPP ProSeの場合、D2Dコントローラ５は、ProSe function エンティティに相当する。リモートUE１及びリレーUE２は、例えば、D2Dコントローラ５によって提供されるネットワークレベル・ディスカバリ（e.g., EPC-level ProSe Discovery）を利用してもよいし、D2D通信（e.g., ProSeダイレクト・ディスカバリ及びProSeダイレクト通信）のリモートUE１及びリレーUE２における起動（有効化、activation）を許可することを示すメッセージをD2Dコントローラ５から受信してもよいし、セルラーカバレッジ３１におけるD2D通信に関する設定情報をD2Dコントローラ５から受信してもよい。
【００３８】
図１の例では、リレーUE２は、UE-to-Network Relayとして動作し、リモートUE１とセルラーネットワーク（基地局３及びコアネットワーク４）の間でのリレー動作をリモートUE１に提供する。言い換えると、リレーUE２は、リモートUE１に関するデータフロー（トラフィック）をリモートUE１とセルラーネットワーク（基地局３及びコアネットワーク４）との間で中継する。これにより、リモートUE１は、リレーUE２及びセルラーネットワーク（基地局３及びコアネットワーク４）を経由して外部ネットワーク６内のノード７と通信することができる。
【００３９】
図１の例では、リモートUE１は、セルラーカバレッジ３１の外に位置している（アウト・オブ・カバレッジ）。しかしながら、既に述べたように、リモートUE１は、セルラーカバレッジ３１内に位置してもよい。幾つかの実装において、リモートUE１は、何らかの条件（e.g., ユーザーによる選択）に基づいてセルラーネットワーク（基地局３及びコアネットワーク４）に接続できない場合に、リレーUE２とのD2D通信（e.g., ダイレクト通信）を行ってもよい。また、幾つかの実装において、リモートUE１は、基地局３のカバレッジ３１内において基地局３と直接的にセルラー通信を行いながら、リレーUE２とのD2D通信をさらに行ってもよい。また、幾つかの実装において、リモートUE１は、基地局３との直接的なセルラー通信（ダイレクトパスと呼ぶ）といずれかのリレーUE２とのD2D通信（リレーパスと呼ぶ）のどちらを使用するかを選択してもよい。
【００４０】
図２は、いくつかの実施形態に係る無線通信ネットワークの他の構成例を示している。図２の例では、リモートUE１は、基地局８のセルラーカバレッジ８１内に位置している。セルラーカバレッジ８１は、１又はそれ以上のセルを含む。リモートUE１は、基地局８とのセルラーリンク２０１においてセルラー通信を行うよう構成されている。幾つかの実装において、リモートUE１は、セルラーリンク２０１を介した基地局８との直接的なセルラー通信（i.e., ダイレクトパス）といずれかのリレーUE２とのD2Dリンク１０２を介したD2D通信（i.e.,リレーパス）のどちらを使用するかを選択してもよい。
【００４１】
図２の例では、無線通信ネットワークは、Heterogeneous Network（HetNet）構造を有してもよい。一例において、基地局８はマクロ基地局であってもよく、基地局３はピコ基地局であってもよく、基地局８のマクロセル（i.e., セルラーカバレッジ８１）は、基地局３のピコセル（i.e., セルラーカバレッジ３１）を完全にカバーしてもよい。
【００４２】
さらに又はこれに代えて、基地局３（又はセルラーカバレッジ３１）と基地局８（又はセルラーカバレッジ８１）は、異なるRadio Access Technology（RAT）をサポートしてもよい。図２に示されるように、基地局８はLTE RATをサポートするLTE eNodeB（eNB）であってもよく、基地局３はNew Radio（NR）をサポートするNR NodeB（NR NB）であってもよい。3GPPは、2020年以降の導入に向けた第5世代移動通信システム（5G）の標準化作業を開始している。5Gは、LTE及びLTE-Advancedの継続的な改良・発展（enhancement/evolution）と新たな5Gエア・インタフェース（新たなRadio Access Technology（RAT））の導入による革新的な改良・発展の組合せで実現されると想定されている。新たなRATは、例えば、LTE/LTE-Advancedの継続的発展が対象とする周波数帯（e.g., 6 GHz以下）よりも高い周波数帯、例えば10 GHz以上のセンチメートル波帯及び30 GHz以上のミリ波帯をサポートする。第5世代移動通信システムは、Next Generation (NextGen) System（NG System）とも呼ばれる。NG Systemのための新たなRATは、New Radio（NR）、5G RAT、又はNG RATと呼ばれる。本明細書で使用される“LTE”との用語は、特に断らない限り、NG Systemとのインターワーキングを可能とするためのLTE及びLTE-Advancedの改良・発展を含む。NG System とのインターワークのためのLTE及びLTE-Advancedの改良・発展は、LTE-Advanced Pro、LTE+、又はenhanced LTE（eLTE）とも呼ばれる。
【００４３】
さらに又はこれに代えて、図３に示されるように、基地局３と基地局８は異なるモバイルオペレータによって運用されてもよい。図３の例では、基地局３及びそのセルラーカバレッジ３１はオペレータＡによって運用され、基地局８及びそのセルラーカバレッジ８１はオペレータＢによって運用される。リレーUE２は、オペレータＡのための加入資格情報（subscription credentials）を利用して基地局３にアクセスできる。一方、リモートUE１は、オペレータＢのための加入資格情報（subscription credentials）を利用して基地局８にアクセスできる。各加入資格情報は、例えば、リモートUE１及びリレーUE２それぞれのUniversal Integrated Circuit Card（UICC）内に格納される。
【００４４】
続いて以下では、本実施形態を含むいくつかの実施形態に係るリレーを開始するための手順について図４を用いて説明する。リレーを開始するためには、リモートUE１が利用できるリレーUE２を発見するためのリレーディスカバリと、発見された１又は複数のリレーUE２の中からリモートUE１に適した少なくとも１つの特定のリレーUEを選択するリレー選択が必要である。リレー選択が行われる前の各リレーUE２は、リレーUE候補又はリレー候補と呼ぶこともできる。既に説明したように、リレー選択は、幾つかの実装においてリモートUE１により行われる（i.e., 分散（distributed）リレー選択）。
【００４５】
図４は、分散リレー選択を伴う手順の一例（処理４００）を示している。ステップ４０１では、リモートUE１及びリレーUE２は、リモートUE１がUE-to-Network Relay又はUE-to-UE RelayとしてのリレーUE２を発見するためのリレーディスカバリ手順を実行する。例えば、いわゆるアナウンスメント・モデル（モデルA）に従って、リレーUE２がディスカバリ信号を送信し、リモートUE１はリレーUE２からのディスカバリ信号を検出することによってリレーUE２を発見してもよい。これに代えて、いわゆる依頼（solicitation）／応答（response）モデル（モデルB）に従って、リモートUE１がリレーを希望すること示すディスカバリ信号を送信し、リレーUE２が当該ディスカバリ信号に対する応答メッセージをリモートUE１に送信し、リモートUE１はリレーUE２からの応答メッセージを受信することによってリレーUE２を発見してもよい。
【００４６】
ステップ４０２では、リモートUE１は、ステップ４０１で発見された１又は複数のリレーUE２の中から、適切な少なくとも１つの特定のリレーUE２を選択する。本実施形態に係るリレー選択手順の詳細については後述する。
【００４７】
ステップ４０３では、リモートUE１は、選択された少なくとも１つの特定のリレーUEのいずれかとone-to-one D2D通信（ダイレクト通信）のためのコネクションを確立する。例えば、リモートUE１は、ダイレクト通信要求（又はリレー要求）をリレーUE２に送信してもよい。リレーUE２は、ダイレクト通信要求（又はリレー要求）の受信に応答して、相互認証（mutual authentication）のための手順を開始してもよい。
【００４８】
続いて以下では、本実施形態に係るリレー選択手順の具体例について説明する。図５は、リモートUE１によるリレー選択の一例（処理５００）を示すシーケンス図である。ステップ５０１では、各リレーUE２は、選択支援情報（selection assistance information）をリモートUE１に送信する。リモートUE１は、各リレーUE２から選択支援情報を受信する。各リレーUE２は、リレーディスカバリ手順（e.g., 図４のステップ４０１）において選択支援情報を送信してもよい。具体的には、各リレーUE２は、いわゆるアナウンスメント・モデル（モデルA）に従って、選択支援情報を包含するディスカバリ信号を送信してもよい。これにより、リモートUE１は、ディスカバリ信号を検出することによって各リレーUE２を発見するとともに、当該リレーUE２の選択支援情報を受信することができる。
【００４９】
選択支援情報は、セル情報を含む。セル情報は、基地局情報と呼ぶこともできる。セル情報（又は基地局情報）は、基地局３から送信され各リレー端末２によって受信された情報である。すなわち、各リレーUE２は、基地局３によって送信されるセル情報を受信し、受信したセル情報をリモートUE１にフォワードする。セル情報は、複数のUEによって受信されることができるブロードキャスト情報であってもよい。言い換えると、セル情報は、基地局３によってセルラーカバレッジ３１内にブロードキャストされてもよい。例えば、LTEの論理チャネルの１つであるBroadcast Control Channel（BCCH）がセル情報の送信のために使用されてもよい。これに代えて、セル情報は、基地局３と各リレーUE２との間の個別シグナリング（e.g., Radio Resource Control（RRC）シグナリング）において各リレーUE２に送信されてもよい。セル情報の具体例については後述する。
【００５０】
ステップ５０２では、リモートUE１は、各リレーUE２から受信した選択支援情報を用いてリレー選択を行う。ステップ５０２のリレー選択において、リモートUE１は、１又は複数のリレーUE２（i.e., リレーUE候補）の中からリモートUE１のための少なくとも１つの特定のリレーUEを選択してもよい。例えば、リモートUE１は、各リレーUE２から受信した選択支援情報を用いて各リレーUE２のアップリンク品質を推定し、推定された各リレーUE２のアップリンク品質を考慮してリレー選択を行う。
【００５１】
さらに又はこれに代えて、ステップ５０２のリレー選択では、リモートUE１は、リレーパス（e.g., 図２又は図３のセルラーリンク１０１及びD2Dリンク１０２）とダイレクトパス（e.g., 図２又は図３のセルラーリンク２０１）のどちらをリモートUE１のために使用するかを決定してもよい。具体的には、リモートUE１は、１又は複数のリレーパスの推定スループット及びダイレクトパスの推定スループットの間で比較し、最良の推定スループットに対応するパスをリモートUE１のために選択してもよい。
【００５２】
図５の例では、各リレーUE２は、選択支援情報をリモートUE１に知らせるために頻繁に無線信号（e.g., ディスカバリ信号）を送信しなければならず、したがって各リレーUE２の電力消費が大きくなるかもしれない。各リレーUE２による選択支援情報の送信頻度を低減するために、図６に示されたリレー選択手順（処理６００）が採用されてもよい。ステップ６０１では、リモートUE１は、選択支援情報の送信要求を包含する無線信号を送信する。ステップ６０２では、各リレーUE２は、当該送信要求を受信したことに応答して、選択支援情報を包含する無線信号をリモートUE１に送信する。
【００５３】
具体的には、いわゆる依頼（solicitation）／応答（response）モデル（モデルB）に従って、リモートUE１が選択支援情報の送信要求を包含するディスカバリ信号を送信し、各リレーUE２が選択支援情報を包含する応答信号をリモートUE１に送信してもよい。これにより、リモートUE１は、応答信号を検出することによって各リレーUE２を発見するとともに、当該リレーUE２の選択支援情報を受信することができる。
【００５４】
ステップ６０３における処理は、図５のステップ５０２における処理と同様である。すなわち、リモートUE１は、各リレーUE２から受信した選択支援情報を考慮してリレー選択を行う。
【００５５】
続いて以下では、上述したセル情報の具体例について説明する。セル情報は、基地局情報と呼ぶこともできる。セル情報（又は基地局情報）は、基地局３の能力（capability）、又は基地局３により提供される１又は以上のセルの能力（capability）を示す。より具体的には、セル情報は、例えば、以下のうち少なくとも１つを示してもよい：
（ａ）基地局３がサポートする周波数帯、
（ｂ）基地局３がサポートするシステム帯域幅、
（ｃ）基地局３のダウンリンク送信電力、
（ｄ）基地局３が各リレー端末２に提供する各セルのアップリンク・ダウンリンク コンフィグレーション、
（ｅ）基地局３が各リレー端末２に提供するセルの数、
（ｆ）基地局３が各リレー端末２に提供する１又はそれ以上のセルの種別、
（ｇ）基地局３と各リレー端末２との間で使用されるRadio Access Technology（RAT）又は通信方式、及び
（ｈ）基地局３（又はセルラーカバレッジ３１）を提供するモバイルオペレータの名称又は識別子。
【００５６】
セル情報（又は基地局情報）は、基地局３がサポートする周波数帯、例えば、デシメートル波（or Ultra High Frequency（UHF）、センチメートル波（or Super high frequency（SHF））、ミリ波（or Extremely high frequency（EHF））を示してもよい。幾つかの実装において、基地局３がサポートする周波数帯は、基地局３がサポートするシステム帯域幅若しくはRAT又はこれら両方と関連付けられ、これにより基地局３と各リレーUE２との間のセルラーリンク１０１の推定スループットに影響を与え得る。言い換えると、基地局３がサポートする周波数帯は、セルラーリンク１０１のスループットを評価するための指標の１つとして利用できる。
【００５７】
セル情報（又は基地局情報）は、基地局３がサポートするシステム帯域幅（e.g., 10 MHz、20 MHz、100 MHz、200 MHz）、を示してもよい。基地局３がサポートするシステム帯域幅は、基地局３と各リレーUE２との間のセルラーリンク１０１の推定スループットに影響を与え得る。言い換えると、基地局３がサポートするシステム帯域幅は、セルラーリンク１０１のスループットを評価するための指標の１つとして利用できる。
【００５８】
セル情報（又は基地局情報）は、基地局３のダウンリンク送信電力を示してもよい。幾つかの実装において、基地局３のダウンリンク送信電力は、基地局３のセルラーカバレッジ３１の大きさ若しくはセル種別（e.g., マクロセル、マイクロセル、ピコセル、フェムトセル）に関連付けられ、さらにセルラーカバレッジ３１の大きさ若しくはセル種別はシステム帯域幅に関連付けられる。したがって、幾つかの実装において、基地局３のダウンリンク送信電力は、基地局３と各リレーUE２との間のセルラーリンク１０１の推定スループットに影響を与え得る。言い換えると、基地局３のダウンリンク送信電力は、セルラーリンク１０１のスループットを評価するための指標の１つとして利用できる。
【００５９】
セル情報（又は基地局情報）は、基地局３が各リレー端末２に提供する各セルのアップリンク・ダウンリンク（UL/DL）コンフィグレーションを示してもよい。UL/DLコンフィグレーションは、セルラーリンク１０１がTime division duplex（TDD）を使用する場合のアップリンクとダウンリンクの時間比率を示す。一例において、UL/DLコンフィグレーションは、TDD LTEがサポートしている７通りのUL/DLコンフィグレーションのうちいずれかを示してもよい。TDD LTEの場合、複数のアップリンク・サブフレーム（ULサブフレーム）と複数のダウンリンク・サブフレーム（DLサブフレーム）が１つの無線フレーム内に共存する。LTE-TDD UL/DLコンフィグレーションは、１つの無線フレーム内でのアップリンク・サブフレームとダウンリンク・サブフレームの配置を意味する。したがって、幾つかの実装において、UL/DLコンフィグレーションは、基地局３と各リレーUE２との間のセルラーリンク１０１の推定スループットに影響を与え得る。言い換えると、基地局３が各リレー端末２に提供する各セルのUL/DLコンフィグレーションは、セルラーリンク１０１のスループットを評価するための指標の１つとして利用できる。
【００６０】
セル情報（又は基地局情報）は、基地局３が各リレー端末２に提供するセルの数を示してもよい。3GPP Release 10およびそれ以降は、キャリアアグリゲーション（Carrier Aggregation（CA））をサポートする。CAでは、リレーUE２は、周波数の異なる複数のセル（Component Carrier (CC)と呼ばれる）を基地局により設定され、アップリンク通信若しくはダウンリンク通信又はこれら両方のために複数のコンポーネントキャリアを利用することができる。複数のCCは、１つのプライマリCCと１又は複数のセカンダリCCを含む。プライマリCCは、プライマリ周波数とも呼ばれ、プライマリセル（primary cell（PCell））のために使用されるCCである。セカンダリCCは、セカンダリ周波数とも呼ばれ、セカンダリセル（secondary cell（SCell））のために使用されるCCである。すなわち、基地局３によりCAを設定されたリレーUE２は、１つのプライマリセル並びに少なくとも１つのセカンダリセルを含む複数のサービングセルを同時に利用することができる。したがって、幾つかの実装において、基地局３が各リレー端末２に提供するセルの数は、基地局３と各リレーUE２との間のセルラーリンク１０１の推定スループットに影響を与え得る。言い換えると、基地局３が各リレー端末２に提供するセルの数は、セルラーリンク１０１のスループットを評価するための指標の１つとして利用できる。
【００６１】
セル情報（又は基地局情報）は、基地局３が各リレー端末２に提供する１又はそれ以上のセルの種別（e.g., マクロセル、マイクロセル、ピコセル、フェムトセル）を示してもよい。幾つかの実装において、セル種別は基地局３がサポートするRAT又はシステム帯域幅に関連付けられる。したがって、幾つかの実装において、基地局３が各リレー端末２に提供する１又はそれ以上のセルの種別は、基地局３と各リレーUE２との間のセルラーリンク１０１の推定スループットに影響を与え得る。言い換えると、基地局３が各リレー端末２に提供する１又はそれ以上のセルの種別は、セルラーリンク１０１のスループットを評価するための指標の１つとして利用できる。
【００６２】
セル情報（又は基地局情報）は、基地局３と各リレー端末２との間で使用されるRAT又は通信方式（e.g., Long Term Evolution（LTE）、LTE-Advanced、LTE-Advanced Pro、5G、キャリアアグリゲーション、デュアルコネクティビティ）を示してもよい。幾つかの実装において、基地局３がサポートするRAT（又は通信方式）は、基地局３と各リレーUE２との間のセルラーリンク１０１の推定スループットに影響を与え得る。言い換えると、基地局３がサポートする周波数帯は、セルラーリンク１０１のスループットを評価するための指標の１つとして利用できる。
【００６３】
セル情報（又は基地局情報）は、基地局３（又はセルラーカバレッジ３１）を提供するモバイルオペレータの名称又は識別子を示してもよい。幾つかの実装において、異なるモバイルオペレータのネットワークは、異なるシステム帯域幅をサポートし、あるいは異なるRATをサポートする。したがって、幾つかの実装において、基地局３（又はセルラーカバレッジ３１）を提供するモバイルオペレータの名称又は識別子は、基地局３と各リレーUE２との間のセルラーリンク１０１の推定スループットに影響を与え得る。言い換えると、基地局３（又はセルラーカバレッジ３１）を提供するモバイルオペレータの名称又は識別子は、セルラーリンク１０１のスループットを評価するための指標の１つとして利用できる。
【００６４】
図７は、リモートUE１に配置されたリレー選択エンティティによって行われるリレー選択手順の一例（処理７００）を示すフローチャートである。ステップ７０１では、リモートUE１（リレー選択エンティティ）は、選択支援情報を各リレーUE２から受信する。既に説明したように、選択支援情報は、少なくともセル情報（又は基地局情報）を含む。
【００６５】
ステップ７０２では、リモートUE１（リレー選択エンティティ）は、各リレーUE２から受信した選択支援情報を考慮して、リモートUE１に適した少なくとも1つの特定のリレーUE２を選択する。例えば、リモートUE１は、各リレーUE２のセルラーリンク１０１のアップリンク品質若しくはダウンリンク品質又は両方を推定するために、各リレーUE２から受信したセル情報を使用してもよい。リモートUE１は、基地局３のシステム帯域幅をセル情報から取得、導出、又は推定し、当該システム帯域幅を用いてセルラーリンク１０１のスループットを推定してもよい。そして、リモートUE１は、１又は複数のリレーUE２の中でセルラーリンク品質が相対的に高い少なくとも１つのリレーUE２を、リモートUE１のための特定のリレーUE２に選択してもよい。さらに又はこれに代えて、リモートUE１は、１又は複数のリレーパスの推定スループット及びダイレクトパスの推定スループットの間で比較し、最良の推定スループットに対応するパスをリモートUE１のために選択してもよい。
【００６６】
以上の説明から理解されるように、本実施形態では、各リレーUE（候補）２は、セル情報を含む選択支援情報をリモートUE１に送信し、リモートUE１は、受信した選択支援情報を考慮してリレー選択を行う。ここで、セル情報（又は基地局情報）は、基地局３の能力、又は基地局３により提供される１又は以上のセルの能力を示す。
【００６７】
既に説明したように、最良のDL RSRPを持つリレーUE２が必ずしも最良のスループットをリモートUE１に提供できるとは限らない。一例として、最良のDL RSRPを持つ第１のリレーUEが利用できるシステム帯域（e.g., 20 MHz）よりも他のリレーUE（第２のリレーUE）が利用できるシステム帯域幅（e.g., 100 MHz）のほうが大きい場合、第１のリレーUEよりも第２のリレーUEのほうがリモートUE１に高いスループットを提供できるかもしれない。あるいは、最良のDL RSRPを持つ第１のリレーUEと基地局３との間で使用されるRAT（e.g., Long Term Evolution（LTE））よりも第２のリレーUEと基地局３との間で使用されるRAT（e.g., NR、5G RAT）のほうが高速通信をサポートする場合、第１のリレーUEよりも第２のリレーUEのほうがリモートUE１に高いスループットを提供できるかもしれない。したがって、幾つかの実装において、セルラーリンク１０１のスループットに影響を与え得る基地局能力又はセル能力（e.g., システム帯域幅、UL/DLコンフィグレーション、RAT種別）を示すセル情報をセル選択のために考慮してもよい。これにより、スループット基準に基づくリレー選択の妥当性（appropriateness）を高めることに寄与できる。
【００６８】
＜第２の実施形態＞
本実施形態では、第１の実施形態で説明されたリレー選択手順の変形例が説明される。本実施形態に係る無線通信ネットワークの構成例およびリレー開始手順例は、図１〜図５と同様である。
【００６９】
本実施形態では、第１の実施形態と同様に、各リレーUE２は、選択支援情報をリモートUE１に送信する。ただし、本実施形態では、選択支援情報は、上述のセル情報（i.e., 第１の情報要素）に加えて、アップリンク品質情報（i.e., 第２の情報要素）を含む。アップリンク品質情報は、各リレーUE２から基地局３へのアップリンク送信の品質を示す。
【００７０】
アップリンク品質情報は、リレーUE２によるアップリンク送信の推定スループットを示してもよい。当該推定スループットは、各リレーUE２によって計算され、各リレーUE２からリモートUE１に送られてもよい。
【００７１】
これに代えて、アップリンク品質情報は、アップリンクSINRを示してもよい。
【００７２】
これに代えて、アップリンク品質情報は、各リレーUE２の最大送信電力、各リレーUE２と基地局３の間のパスロス、及び各リレーUE２に割り当てられる単位時間当たりのアップリンク無線リソースを示してもよい。リモートUE１は、アップリンク品質情報を用いて、各リレーUE２に適用されるアップリンクModulation and Coding Scheme（MCS）を推定してもよい。これに代えて、アップリンク品質情報は、アップリンク品質情報は、各リレーUE２に適用されるアップリンクMCSそれ自体を示してもよい。各リレーUE２に適用されるアップリンクMCS及び単位時間当たりのアップリンク無線リソースから各リレーUE２のアップリンク・スループットを推定できる。したがって、各リレーUE２に適用されるアップリンクMCSは、各リレーUE２のアップリンク・スループットと密接に関係している。
【００７３】
これに代えて、アップリンク品質情報は、各リレーUE２の最大送信電力を表すパワークラス情報を示してもよい。LTE ProSeは、public safetyのために31 dBm又は33 dBmの最大送信電力を持つ高出力（high power）UEを規定している。最大送信電力31 dBm又は33 dBmの高出力UEは、最大送信電力23 dBmの通常UEとUEパワークラスによって区別される。具体的には、高出力UEのUEパワークラスは“クラス１”であり、高出力UEは、クラス１UE又はクラス１デバイスとも呼ばれる。これに対して、通常UEのUEパワークラスは“クラス３”であり、通常UEは、クラス３UE又はクラス３デバイスとも呼ばれる。高出力UEは、通常出力（i.e., 最大送信電力23 dBm）のUEに比べて、良好なアップリンク・スループットを提供できることが期待できる。
【００７４】
さらに又はこれに代えて、アップリンク品質情報は、各リレーUE２のアップリンク通信性能を表すUEカテゴリ（又はUEクラス）を示してもよい。例えば、UEカテゴリは、各リレーUE２がサポートする（最大）アップリンク・データレートを表してもよい。UEカテゴリは、各リレーUE２がサポートする通信パラメータ、例えば、複信（duplex）モード、変調方式、及び最大Multiple-Input Multiple-Output（MIMO）レイヤ数、を表してもよい。高いUEカテゴリ（つまり、高い通信性能）を持つリレーUE２ほど良好なアップリンク・スループットを提供できることが期待できる。
【００７５】
幾つかの実装において、リモートUE１は、セルラーリンク１０１及びD2Dリンク１０２から成るリレーパスのアップリンク・スループットを計算するために、セル情報及びアップリンク品質情報を含む選択支援情報を使用してもよい。例えば、リモートUE１は、以下の（１）式に従って、ｋ番目のリレーUE２の実効スループットRkを計算してもよい：
【数１】
2018105158.tif 000003
ここで、min関数は複数の引数のうちの最小値を返す関数であり、Ukはセルラーリンク１０１のアップリンク・スループットの推定値であり、DkはD2Dリンク１０２のスループットの推定値である。
【００７６】
スループット推定値Uk及びDkは、シャノン容量式（Shannon capacity formula）に従って計算されてもよい。例えば、Ukは、以下の（２）式により定義される：
【数２】
2018105158.tif 000004
ここで、RUは、D2D制御周期内のアップリンク送信のためのリソース割合であり、TBSU(nU, mU)は、アップリンクMCSインデックスがnUに等しく且つアップリンク・リソースブロック数がmUに等しいときのアップリンク・トランスポートブロックサイズである。さらに、BLER(nU, SINRU,k)は、アップリンクMCSインデックスがnUに等しく且つアップリンクSINRがSINRU,kに等しいときのブロック誤り率である。なお、D2D制御周期は、サイドリンク制御周期又はPSCCH周期とも呼ばれる。LTEでは、サイドリンク送信は、周波数および時間ドメインにおいてアップリンク・リソースのサブセットを使用し、基地局は、D2D制御周期（e.g., 40ms）毎にD2D通信用の無線リソースを時間・周波数方向でスケジューリングする。
【００７７】
Dkは、以下の（３）式により定義される：
【数３】
2018105158.tif 000005
ここで、RDは、D2D制御周期内のD2D送信のためのリソース割合であり、TBSD(nD, mD)は、D2D送信のMCSインデックスがnDに等しく且つD2Dリソースブロック数がmDに等しいときのD2Dトランスポートブロックサイズである。さらに、BLER(nD, SINRD,k)は、D2D送信のMCSインデックスがnDに等しく且つD2DリンクのSINRがSINRD,kに等しいときのブロック誤り率である。
【００７８】
（２）式で使用されるnU及びmUの組み合せは、以下の（４）式により得られる：
【数４】
2018105158.tif 000006
ここで、arg max演算子（operator）は、これの引数に示された関数が最大となるアップリンクMCSインデックスn及びアップリンク・リソースブロック数mの組み合せを参照する。
【００７９】
（１）〜（４）式に示した例において、アップリンク・リソースブロック数（mU）は、基地局３がサポートするシステム帯域幅の関数である。言い換えると、アップリンク・リソースブロック数mUは、基地局３のシステム帯域幅に応じて増加する。第１の実施形態において既に説明したように、リモートUE１は、基地局３がサポートするシステム帯域幅を示すセル情報（又は基地局情報）を各リレーUE２から受信してもよい。一方、（１）〜（４）式に示した例において、アップリンクSINR（SINRU,k）は、アップリンク品質情報の一例である。
【００８０】
すなわち、リモートUE１は、リレーUE２から受信したセル情報（e.g., システム帯域幅）及びアップリンク品質情報（e.g., アップリンクSINR）を使用することで、リレーUE２のアップリンク・スループットをより精度良く推定することができる。
【００８１】
＜第３の実施形態＞
本実施形態では、第１及び第２の実施形態で説明されたリレー選択手順の変形例が説明される。本実施形態に係る無線通信ネットワークの構成例およびリレー開始手順例は、図１〜図５と同様である。
【００８２】
本実施形態では、第１又は第２の実施形態と同様に、各リレーUE２は、選択支援情報をリモートUE１に送信する。ただし、本実施形態では、選択支援情報は、基地局負荷情報（i.e., 第３の情報要素）をさらに含む。基地局負荷情報は、基地局３の負荷を示す。基地局負荷情報は、アップリンク無線リソースの使用率、基地局３のコンピューティングリソースの使用率、若しくは基地局３に接続しているUE数、又はこれらの任意の組み合せであってもよい。さらに又はこれに代えて、基地局負荷情報は、基地局３のダウンリンク送信バッファ（キュー）の占有レベル、基地局３のアップリンク受信バッファの占有レベル、又はDL送信若しくはUL受信に関するその他のパケットバッファの占有レベルを示してもよい。
【００８３】
幾つかの実装において、リモートUE１は、各リレーUE２の実効スループットRkをより精度良く推定するために基地局負荷情報を使用してもよい。例えば、第２の実施形態で説明された実効スループットRkの計算において、（４）式の変数ｍに以下の（５）式に示す制約条件を課してもよい。
【数５】
2018105158.tif 000007
ここで、MUは基地局３のシステム帯域幅によって定まる最大のリソースブロック数であり、LUは基地局３の負荷である。負荷LUは、０以上かつ１以下である。負荷LUは、アップリンク無線リソース使用率であってもよい。
【００８４】
幾つかの実装において、リモートUE１は、遅延要件を満たす送信が可能であるか否かを評価するために基地局負荷情報を使用してもよい。遅延要件は、最大遅延または平均遅延であってもよい。ここで言う遅延は、例えば、リモートUE１の送信データがリレーUE２及び基地局３を介して宛先ノード（e.g., 図１のノード７）に到達するまでの遅延時間であってもよい。
【００８５】
＜第４の実施形態＞
本実施形態では、第１〜第３の実施形態で説明されたリレー選択手順の変形例が説明される。本実施形態に係る無線通信ネットワークの構成例およびリレー開始手順例は、図１〜図５と同様である。
【００８６】
本実施形態では、第１、第２、又は第３の実施形態と同様に、各リレーUE２は、選択支援情報をリモートUE１に送信する。ただし、本実施形態では、選択支援情報は、リレー負荷情報を示す。リレー負荷情報は、各リレーUE２と接続又は通信している他のリモートUEの数を示してもよい。さらに又はこれに代えて、リレー負荷情報は、D2D無線リソースの使用率、リレーUE２のアップリンク送信バッファの占有レベル、リレーUE２のダウンリンク受信バッファ（キュー）の占有レベル、又はUL送信若しくはDL受信に関するその他のパケットバッファの占有レベルを示してもよい。
【００８７】
１つのリレーUE２に接続している（又は各リレーUE２と通信している）リモートUEの数が増加するにつれて、そのリレーUE２が各リモートUEに提供できる実効スループットは低下すると考えられる。したがって、リモートUE１は、接続している又は通信しているリモートUEの数が小さいリレーUE２ほど、リモートUE１のために優先的に選択してもよい。これにより、リモートUE１は、より高い実効スループットを新たなリモートUE１に提供できるリレーUE２を、当該リモートUE１のために選択することができる。
【００８８】
幾つかの実装において、リモートUE１は、各リレーUE２の実効スループットRkをより精度良く推定するためにリレー負荷情報を使用してもよい。例えば、第２の実施形態で説明された実効スループットRkの計算において、（３）式に代えて以下の（６）式を使用してもよい：
【数６】
2018105158.tif 000008
ここで、NUEは、k番目のリレーUE２と接続又は通信している他のリモートUEの数である。
【００８９】
幾つかの実装において、リモートUE１は、遅延要件を満たす送信が可能であるか否かをより精度良く評価するために、第３の実施形態で説明された基地局負荷情報に加えて、リレー負荷情報をさらに使用してもよい。
【００９０】
＜第５の実施形態＞
本実施形態では、第１〜第４の実施形態で説明されたリレー選択手順の変形例が説明される。本実施形態に係る無線通信ネットワークの構成例およびリレー開始手順例は、図１〜図５と同様である。
【００９１】
本実施形態では、第１、第２、第３、又は第４の実施形態と同様に、各リレーUE２は、選択支援情報をリモートUE１に送信する。ただし、本実施形態では、選択支援情報は、各リレーUE２と基地局３の間のパスロスをさらに示す。3GPPのリレーUEのサイドリンク送信電力は、基地局３とリレーUE２の間のパスロスに応じて制御される。当該パスロスが大きくなるにつれて、リレーUE２のサイドリンク送信電力が増加する。
【００９２】
したがって、リモートUE１は、各リレーUE２のサイドリンク送信電力を推定するために、各リレーUE２と基地局３の間のパスロスを使用してもよい。言い換えると、リモートUE１は、各リレーUE２へのサイドリンク送信に必要とされる（最大）送信電力を推定するために、各リレーUE２と基地局３の間のパスロスを使用してもよい。例えば、リモートUE１は、必要とされるサイドリンク送信電力が最小のリレーUE２をリモートUE１のために優先的に選択してもよい。これに代えて、リモートUE１は、リレーパスでのサイドリンク送信電力（又はサイドリンク送信に要する消費電力）とダイレクトパスでのアップリンク送信電力（又はアップリンク送信に要する消費電力）とを比較し、小さい送信電力（又は消費電力）をもたらすパスを選択してもよい。
【００９３】
最後に、上述の複数の実施形態に係るリモートUE１、リレーUE２、及び基地局３の構成例について説明する。図８は、リモートUE１の構成例を示すブロック図である。リレーUE２も、図８に示されているのと同様の構成を有してもよい。Radio Frequency（RF）トランシーバ８０１は、基地局３と通信するためにアナログRF信号処理を行う。RFトランシーバ８０１により行われるアナログRF信号処理は、周波数アップコンバージョン、周波数ダウンコンバージョン、及び増幅を含む。RFトランシーバ８０１は、アンテナ８０２及びベースバンドプロセッサ８０３と結合される。すなわち、RFトランシーバ８０１は、変調シンボルデータ（又はOFDMシンボルデータ）をベースバンドプロセッサ８０３から受信し、送信RF信号を生成し、送信RF信号をアンテナ８０２に供給する。また、RFトランシーバ８０１は、アンテナ８０２によって受信された受信ＲＦ信号に基づいてベースバンド受信信号を生成し、これをベースバンドプロセッサ８０３に供給する。
【００９４】
ベースバンドプロセッサ８０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００９５】
例えば、LTEおよびLTE-Advancedの場合、ベースバンドプロセッサ８０３によるデジタルベースバンド信号処理は、Packet Data Convergence Protocol（PDCP）レイヤ、Radio Link Control（RLC）レイヤ、MACレイヤ、およびPHYレイヤの信号処理を含んでもよい。また、ベースバンドプロセッサ８０３によるコントロールプレーン処理は、Non-Access Stratum（NAS）プロトコル、RRCプロトコル、及びMAC CEの処理を含んでもよい。
【００９６】
ベースバンドプロセッサ８０３は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）、又はMicro Processing Unit（MPU））を含んでもよい。この場合、コントロールプレーン処理を行うプロトコルスタック・プロセッサは、後述するアプリケーションプロセッサ８０４と共通化されてもよい。
【００９７】
アプリケーションプロセッサ８０４は、CPU、MPU、マイクロプロセッサ、又はプロセッサコアとも呼ばれる。アプリケーションプロセッサ８０４は、複数のプロセッサ（複数のプロセッサコア）を含んでもよい。アプリケーションプロセッサ８０４は、メモリ８０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、リモートUE１の各種機能を実現する。
【００９８】
いくつかの実装において、図８に破線（８０５）で示されているように、ベースバンドプロセッサ８０３及びアプリケーションプロセッサ８０４は、１つのチップ上に集積されてもよい。言い換えると、ベースバンドプロセッサ８０３及びアプリケーションプロセッサ８０４は、１つのSystem on Chip（SoC）デバイス８０５として実装されてもよい。SoCデバイスは、システムLarge Scale Integration（LSI）またはチップセットと呼ばれることもある。
【００９９】
メモリ８０６は、揮発性メモリ若しくは不揮発性メモリ又はこれらの組合せである。メモリ８０６は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。例えば、メモリ８０６は、ベースバンドプロセッサ８０３、アプリケーションプロセッサ８０４、及びSoC８０５からアクセス可能な外部メモリデバイスを含んでもよい。メモリ８０６は、ベースバンドプロセッサ８０３内、アプリケーションプロセッサ８０４内、又はSoC８０５内に集積された内蔵メモリデバイスを含んでもよい。さらに、メモリ８０６は、Universal Integrated Circuit Card（UICC）内のメモリを含んでもよい。
【０１００】
メモリ８０６は、上述の複数の実施形態で説明されたリモートUE１による処理を行うための命令群およびデータを含むソフトウェアモジュール（コンピュータプログラム）を格納してもよい。いくつかの実装において、ベースバンドプロセッサ８０３又はアプリケーションプロセッサ８０４は、当該ソフトウェアモジュールをメモリ８０６から読み出して実行することで、上述の実施形態でシーケンス図及びフローチャートを用いて説明されたリモートUE１の処理を行うよう構成されてもよい。
【０１０１】
図９は、上述の実施形態に係る基地局３の構成例を示すブロック図である。図９を参照すると、基地局３は、RFトランシーバ９０１、ネットワークインターフェース９０３、プロセッサ９０４、及びメモリ９０５を含む。RFトランシーバ９０１は、リモートUE１及びリレーUE２と通信するためにアナログRF信号処理を行う。RFトランシーバ９０１は、複数のトランシーバを含んでもよい。RFトランシーバ９０１は、アンテナ９０２及びプロセッサ９０４と結合される。RFトランシーバ９０１は、変調シンボルデータ（又はOFDMシンボルデータ）をプロセッサ９０４から受信し、送信RF信号を生成し、送信RF信号をアンテナ９０２に供給する。また、RFトランシーバ９０１は、アンテナ９０２によって受信された受信ＲＦ信号に基づいてベースバンド受信信号を生成し、これをプロセッサ９０４に供給する。
【０１０２】
ネットワークインターフェース９０３は、ネットワークノード（e.g., Mobility Management Entity (MME)およびServing Gateway (S-GW)）と通信するために使用される。ネットワークインターフェース９０３は、例えば、IEEE 802.3 seriesに準拠したネットワークインターフェースカード（NIC）を含んでもよい。
【０１０３】
プロセッサ９０４は、無線通信のためのデジタルベースバンド信号処理（データプレーン処理）とコントロールプレーン処理を行う。例えば、LTEおよびLTE-Advancedの場合、プロセッサ９０４によるデジタルベースバンド信号処理は、PDCPレイヤ、RLCレイヤ、MACレイヤ、およびPHYレイヤの信号処理を含んでもよい。また、プロセッサ９０４によるコントロールプレーン処理は、S1プロトコル、RRCプロトコル、及びMAC CEの処理を含んでもよい。
【０１０４】
プロセッサ９０４は、複数のプロセッサを含んでもよい。例えば、プロセッサ９０４は、デジタルベースバンド信号処理を行うモデム・プロセッサ（e.g., DSP）とコントロールプレーン処理を行うプロトコルスタック・プロセッサ（e.g., CPU又はMPU）を含んでもよい。
【０１０５】
メモリ９０５は、揮発性メモリ及び不揮発性メモリの組み合わせによって構成される。揮発性メモリは、例えば、SRAM若しくはDRAM又はこれらの組み合わせである。不揮発性メモリは、例えば、MROM、PROM、フラッシュメモリ、若しくはハードディスクドライブ、又はこれらの組合せである。メモリ９０５は、プロセッサ９０４から離れて配置されたストレージを含んでもよい。この場合、プロセッサ９０４は、ネットワークインターフェース９０３又は図示されていないI/Oインタフェースを介してメモリ９０５にアクセスしてもよい。
【０１０６】
メモリ９０５は、上述の複数の実施形態で説明された基地局３による処理を行うための命令群およびデータを含むソフトウェアモジュール（コンピュータプログラム）を格納してもよい。いくつかの実装において、プロセッサ９０４は、当該ソフトウェアモジュールをメモリ９０５から読み出して実行することで、上述の実施形態でシーケンス図及びフローチャートを用いて説明された基地局３の処理を行うよう構成されてもよい。
【０１０７】
図８及び図９を用いて説明したように、上述の実施形態に係るリモートUE１、リレーUE２、及び基地局３が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０８】
＜その他の実施形態＞
上述の実施形態は、各々独立に実施されてもよいし、適宜組み合わせて実施されてもよい。
【０１０９】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１１０】
例えば、上記の実施形態の一部又は全部は、以下の付記のようにも記載され得るが、以下には限られない。
【０１１１】
（付記１）
無線端末であって、
メモリと、
前記メモリに結合された少なくとも１つのプロセッサと、
を備え、
前記少なくとも１つのプロセッサは、１又は複数のリレー端末の各々から選択支援情報を受信し、前記選択支援情報に基づいて、前記１又は複数のリレー端末の中から前記無線端末に適した少なくとも１つの特定のリレー端末を選択するよう構成され、
各特定のリレー端末は、各特定のリレー端末と前記無線端末との間のデバイス・ツー・デバイス（D2D）リンク及び各特定のリレー端末と基地局との間のバックホールリンクを介して、前記無線端末と前記基地局との間でトラフィックを中継し、
前記選択支援情報は、前記基地局から送信され各リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が各リレー端末に提供する各セルのアップリンク・ダウンリンク コンフィグレーション、
（ｅ）前記基地局が各リレー端末に提供するセルの数、
（ｆ）前記基地局が各リレー端末に提供する１又はそれ以上のセルの種別、
（ｇ）前記基地局と各リレー端末との間で使用されるRadio Access Technology（RAT）又は通信方式、及び
（ｈ）前記基地局を提供するモバイルオペレータの名称又は識別子、
無線端末。
【０１１２】
（付記２）
前記第１の情報要素は、前記基地局がサポートするシステム帯域幅を少なくとも示す、
付記１に記載の無線端末。
【０１１３】
（付記３）
前記第１の情報要素は、前記基地局がリレーUEに提供する各セルのアップリンク・ダウンリンク コンフィグレーションを少なくとも示す、
付記１又は２に記載の無線端末。
【０１１４】
（付記４）
前記選択支援情報は、各リレー端末から前記基地局へのアップリンク送信の品質を示す第２の情報要素をさらに含む、
付記１〜３のいずれか１項に記載の無線端末。
【０１１５】
（付記５）
前記第２の情報要素は、各リレー端末の最大送信電力を表すパワークラス情報若しくは各リレー端末のアップリンク通信性能を表す端末カテゴリ情報又は両方を含む、
付記４に記載の無線端末。
【０１１６】
（付記６）
前記第２の情報要素は、各リレー端末の前記アップリンク送信に適用されるModulation and Coding Scheme（MCS）の推定値を含む、
付記４又は５に記載の無線端末。
【０１１７】
（付記７）
前記選択支援情報は、前記基地局の負荷を示す第３の情報要素をさらに含む、
付記１〜６のいずれか１項に記載の無線端末。
【０１１８】
（付記８）
前記選択支援情報は、各リレー端末の負荷を示す第４の情報要素をさらに含む、
付記１〜７のいずれか１項に記載の無線端末。
【０１１９】
（付記９）
前記第４の情報要素は、各リレー端末と接続又は通信している他のリモート端末の数を示す、
付記８に記載の無線端末。
【０１２０】
（付記１０）
前記少なくとも１つのプロセッサは、前記他のリモート端末の数が小さいリレー端末ほど前記少なくとも１つの特定のリレー端末に優先的に選択するよう構成されている、
付記９に記載の無線端末。
【０１２１】
（付記１１）
前記選択支援情報は、前記基地局と各リレー端末との間のパスロスを示す第５の情報要素をさらに含む、
付記１〜１０のいずれか１項に記載の無線端末。
【０１２２】
（付記１２）
前記少なくとも１つのプロセッサは、前記１又は複数のリレー端末のいずれかを介するリレー経路と、前記無線端末と前記基地局又は他の基地局との間の直接的な無線リンクのどちらを前記無線端末の通信のために使用するかを決定するよう構成されている、
付記１〜１１のいずれか１項に記載の無線端末。
【０１２３】
（付記１３）
リレー端末であって、
メモリと、
前記メモリに結合された少なくとも１つのプロセッサと、
を備え、
前記少なくとも１つのプロセッサは、
リモート端末に選択支援情報を送信するよう構成され、且つ
前記リレー端末と前記リモート端末との間のデバイス・ツー・デバイス（D2D）リンク及び前記リレー端末と基地局との間のバックホールリンクを介して、前記リモート端末と前記基地局との間でトラフィックを中継するよう構成され、
前記選択支援情報は、前記基地局から送信され前記リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が前記リレー端末に提供する各セルのアップリンク・ダウンリンク コンフィグレーション、
（ｅ）前記基地局が前記リレー端末に提供するセルの数、
（ｆ）前記基地局が前記リレー端末に提供する１又はそれ以上のセルの種別、
（ｇ）前記基地局と前記リレー端末との間で使用されるRadio Access Technology（RAT）又は通信方式、及び
（ｈ）前記基地局を提供するモバイルオペレータの名称又は識別子、
リレー端末。
【０１２４】
（付記１４）
前記選択支援情報は、１又は複数のリレー端末の中から前記リモート端末に適した少なくとも１つの特定のリレー端末を選択することを前記リモート端末に引き起こす、
付記１３に記載のリレー端末。
【０１２５】
（付記１５）
前記選択支援情報は、１又は複数のリレー端末のいずれかを介するリレー経路と、前記リモート端末と前記基地局又は他の基地局との間の直接的な無線リンクのどちらを前記リモート端末の通信のために使用するかを決定することを前記リモート端末に引き起こす、
付記１３又は１４に記載のリレー端末。
【０１２６】
（付記１６）
前記第１の情報要素は、前記基地局がサポートするシステム帯域幅を少なくとも示す、
付記１３〜１５のいずれか１項に記載のリレー端末。
【０１２７】
（付記１７）
前記第１の情報要素は、前記基地局がリレーUEに提供する各セルのアップリンク・ダウンリンク コンフィグレーションを少なくとも示す、
付記１３〜１６のいずれか１項に記載のリレー端末。
【０１２８】
（付記１８）
前記選択支援情報は、前記リレー端末から前記基地局へのアップリンク送信の品質を示す第２の情報要素をさらに含む、
付記１３〜１７のいずれか１項に記載のリレー端末。
【０１２９】
（付記１９）
前記第２の情報要素は、前記リレー端末の最大送信電力を表すパワークラス情報若しくは各リレー端末のアップリンク通信性能を表す端末カテゴリ情報又は両方を含む、
付記１８に記載のリレー端末。
【０１３０】
（付記２０）
前記第２の情報要素は、各リレー端末の前記アップリンク送信に適用されるModulation and Coding Scheme（MCS）の推定値を含む、
付記１８又は１９に記載のリレー端末。
【０１３１】
（付記２１）
前記選択支援情報は、前記基地局の負荷を示す第３の情報要素をさらに含む、
付記１３〜２０のいずれか１項に記載のリレー端末。
【０１３２】
（付記２２）
前記選択支援情報は、前記リレー端末の負荷を示す第４の情報要素をさらに含む、
付記１３〜２１のいずれか１項に記載のリレー端末。
【０１３３】
（付記２３）
前記第４の情報要素は、前記リレー端末と接続又は通信している他のリモート端末の数を示す、
付記２２に記載のリレー端末。
【０１３４】
（付記２４）
前記選択支援情報は、前記基地局と前記リレー端末との間のパスロスを示す第５の情報要素をさらに含む、
付記１３〜２３のいずれか１項に記載のリレー端末。
【０１３５】
（付記２５）
無線端末における方法であって、
１又は複数のリレー端末の各々から選択支援情報を受信すること、及び
前記選択支援情報に基づいて、前記１又は複数のリレー端末の中から前記無線端末に適した少なくとも１つの特定のリレー端末を選択すること、
を備え、
各特定のリレー端末は、各特定のリレー端末と前記無線端末との間のデバイス・ツー・デバイス（D2D）リンク及び各特定のリレー端末と基地局との間のバックホールリンクを介して、前記無線端末と前記基地局との間でトラフィックを中継するよう構成され、
前記選択支援情報は、前記基地局から送信され各リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が各リレー端末に提供する各セルのアップリンク・ダウンリンク コンフィグレーション、
（ｅ）前記基地局が各リレー端末に提供するセルの数、
（ｆ）前記基地局が各リレー端末に提供する１又はそれ以上のセルの種別、
（ｇ）前記基地局と各リレー端末との間で使用されるRadio Access Technology（RAT）又は通信方式、及び
（ｈ）前記基地局を提供するモバイルオペレータの名称又は識別子、
方法。
【０１３６】
（付記２６）
リレー端末における方法であって、
リモート端末に選択支援情報を送信すること、及び
前記リレー端末と前記リモート端末との間のデバイス・ツー・デバイス（D2D）リンク及び前記リレー端末と基地局との間のバックホールリンクを介して、前記リモート端末と前記基地局との間でトラフィックを中継すること、
を備え、
前記選択支援情報は、前記基地局から送信され前記リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が前記リレー端末に提供する各セルのアップリンク・ダウンリンク コンフィグレーション、
（ｅ）前記基地局が前記リレー端末に提供するセルの数、
（ｆ）前記基地局が前記リレー端末に提供する１又はそれ以上のセルの種別、
（ｇ）前記基地局と前記リレー端末との間で使用されるRadio Access Technology（RAT）又は通信方式、及び
（ｈ）前記基地局を提供するモバイルオペレータの名称又は識別子、
方法。
【０１３７】
（付記２７）
無線端末における方法をコンピュータに行わせるためのプログラムであって、
前記方法は、
１又は複数のリレー端末の各々から選択支援情報を受信すること、及び
前記選択支援情報に基づいて、前記１又は複数のリレー端末の中から前記無線端末に適した少なくとも１つの特定のリレー端末を選択すること、
を備え、
各特定のリレー端末は、各特定のリレー端末と前記無線端末との間のデバイス・ツー・デバイス（D2D）リンク及び各特定のリレー端末と基地局との間のバックホールリンクを介して、前記無線端末と前記基地局との間でトラフィックを中継するよう構成され、
前記選択支援情報は、前記基地局から送信され各リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が各リレー端末に提供する各セルのアップリンク・ダウンリンク コンフィグレーション、
（ｅ）前記基地局が各リレー端末に提供するセルの数、
（ｆ）前記基地局が各リレー端末に提供する１又はそれ以上のセルの種別、
（ｇ）前記基地局と各リレー端末との間で使用されるRadio Access Technology（RAT）又は通信方式、及び
（ｈ）前記基地局を提供するモバイルオペレータの名称又は識別子、
プログラム。
【０１３８】
（付記２８）
リレー端末における方法をコンピュータに行わせるためのプログラムであって、
前記リレー端末は、前記リレー端末とリモート端末との間のデバイス・ツー・デバイス（D2D）リンク及び前記リレー端末と基地局との間のバックホールリンクを介して、前記リモート端末と前記基地局との間でトラフィックを中継するよう構成され、
前記方法は、前記リモート端末に選択支援情報を送信することを備え、
前記選択支援情報は、前記基地局から送信され前記リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が前記リレー端末に提供する各セルのアップリンク・ダウンリンク コンフィグレーション、
（ｅ）前記基地局が前記リレー端末に提供するセルの数、
（ｆ）前記基地局が前記リレー端末に提供する１又はそれ以上のセルの種別、
（ｇ）前記基地局と前記リレー端末との間で使用されるRadio Access Technology（RAT）又は通信方式、及び
（ｈ）前記基地局を提供するモバイルオペレータの名称又は識別子、
プログラム。
【０１３９】
この出願は、２０１６年１２月８日に出願された日本出願特願２０１６−２３８５０９を基礎とする優先権を主張し、その開示の全てをここに取り込む。
【符号の説明】
【０１４０】
１  リモートUE
２  リレーUE
３  基地局
４  コアネットワーク
５  device-to-device（D2D）コントローラ
６  外部ネットワーク
７  ノード
８  基地局
１０１  セルラーリンク
１０２  D2Dリンク
２０１  セルラーリンク
８０１  radio frequency（RF）トランシーバ
８０３  ベースバンドプロセッサ
８０４  アプリケーションプロセッサ
８０６  メモリ
９０４  プロセッサ
９０５  メモリ
【図１】
2018105158.tif 000009
【図２】
2018105158.tif 000010
【図３】
2018105158.tif 000011
【図４】
2018105158.tif 000012
【図５】
2018105158.tif 000013
【図６】
2018105158.tif 000014
【図７】
2018105158.tif 000015
【図８】
2018105158.tif 000016
【図９】
2018105158.tif 000017
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
無線端末であって、
メモリと、
前記メモリに結合された少なくとも１つのプロセッサと、
を備え、
前記少なくとも１つのプロセッサは、１又は複数のリレー端末の各々から選択支援情報を受信し、前記選択支援情報に基づいて、前記１又は複数のリレー端末の中から前記無線端末に適した少なくとも１つの特定のリレー端末を選択するよう構成され、
各特定のリレー端末は、各特定のリレー端末と前記無線端末との間のデバイス・ツー・デバイス（D2D）リンク及び各特定のリレー端末と基地局との間のバックホールリンクを介して、前記無線端末と前記基地局との間でトラフィックを中継し、
前記選択支援情報は、前記基地局から送信され各リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が各リレー端末に提供する各セルのアップリンク・ダウンリンク コンフィグレーション、
（ｅ）前記基地局が各リレー端末に提供するセルの数、
（ｆ）前記基地局が各リレー端末に提供する１又はそれ以上のセルの種別、
（ｇ）前記基地局と各リレー端末との間で使用されるRadio Access Technology（RAT）又は通信方式、及び
（ｈ）前記基地局を提供するモバイルオペレータの名称又は識別子、
無線端末。
【請求項２】
前記第１の情報要素は、前記基地局がサポートするシステム帯域幅を少なくとも示す、
請求項１に記載の無線端末。
【請求項３】
前記第１の情報要素は、前記基地局がリレーUEに提供する各セルのアップリンク・ダウンリンク コンフィグレーションを少なくとも示す、
請求項１又は２に記載の無線端末。
【請求項４】
前記選択支援情報は、各リレー端末から前記基地局へのアップリンク送信の品質を示す第２の情報要素をさらに含む、
請求項１〜３のいずれか１項に記載の無線端末。
【請求項５】
前記選択支援情報は、前記基地局の負荷を示す第３の情報要素をさらに含む、
請求項１〜４のいずれか１項に記載の無線端末。
【請求項６】
前記選択支援情報は、各リレー端末の負荷を示す第４の情報要素をさらに含む、
請求項１〜５のいずれか１項に記載の無線端末。
【請求項７】
前記少なくとも１つのプロセッサは、前記１又は複数のリレー端末のいずれかを介するリレー経路と、前記無線端末と前記基地局又は他の基地局との間の直接的な無線リンクのどちらを前記無線端末の通信のために使用するかを決定するよう構成されている、
請求項１〜６のいずれか１項に記載の無線端末。
【請求項８】
リレー端末であって、
メモリと、
前記メモリに結合された少なくとも１つのプロセッサと、
を備え、
前記少なくとも１つのプロセッサは、
リモート端末に選択支援情報を送信するよう構成され、且つ
前記リレー端末と前記リモート端末との間のデバイス・ツー・デバイス（D2D）リンク及び前記リレー端末と基地局との間のバックホールリンクを介して、前記リモート端末と前記基地局との間でトラフィックを中継するよう構成され、
前記選択支援情報は、前記基地局から送信され前記リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が前記リレー端末に提供する各セルのアップリンク・ダウンリンク コンフィグレーション、
（ｅ）前記基地局が前記リレー端末に提供するセルの数、
（ｆ）前記基地局が前記リレー端末に提供する１又はそれ以上のセルの種別、
（ｇ）前記基地局と前記リレー端末との間で使用されるRadio Access Technology（RAT）又は通信方式、及び
（ｈ）前記基地局を提供するモバイルオペレータの名称又は識別子、
リレー端末。
【請求項９】
無線端末における方法であって、
１又は複数のリレー端末の各々から選択支援情報を受信すること、及び
前記選択支援情報に基づいて、前記１又は複数のリレー端末の中から前記無線端末に適した少なくとも１つの特定のリレー端末を選択すること、
を備え、
各特定のリレー端末は、各特定のリレー端末と前記無線端末との間のデバイス・ツー・デバイス（D2D）リンク及び各特定のリレー端末と基地局との間のバックホールリンクを介して、前記無線端末と前記基地局との間でトラフィックを中継するよう構成され、
前記選択支援情報は、前記基地局から送信され各リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が各リレー端末に提供する各セルのアップリンク・ダウンリンク コンフィグレーション、
（ｅ）前記基地局が各リレー端末に提供するセルの数、
（ｆ）前記基地局が各リレー端末に提供する１又はそれ以上のセルの種別、
（ｇ）前記基地局と各リレー端末との間で使用されるRadio Access Technology（RAT）又は通信方式、及び
（ｈ）前記基地局を提供するモバイルオペレータの名称又は識別子、
方法。
【請求項１０】
無線端末における方法をコンピュータに行わせるためのプログラムであって、
前記方法は、
１又は複数のリレー端末の各々から選択支援情報を受信すること、及び
前記選択支援情報に基づいて、前記１又は複数のリレー端末の中から前記無線端末に適した少なくとも１つの特定のリレー端末を選択すること、
を備え、
各特定のリレー端末は、各特定のリレー端末と前記無線端末との間のデバイス・ツー・デバイス（D2D）リンク及び各特定のリレー端末と基地局との間のバックホールリンクを介して、前記無線端末と前記基地局との間でトラフィックを中継するよう構成され、
前記選択支援情報は、前記基地局から送信され各リレー端末によって受信された第１の情報要素を含み、
前記第１の情報要素は、以下のうち少なくとも１つを示す：
（ａ）前記基地局がサポートする周波数帯、
（ｂ）前記基地局がサポートするシステム帯域幅、
（ｃ）前記基地局のダウンリンク送信電力、
（ｄ）前記基地局が各リレー端末に提供する各セルのアップリンク・ダウンリンク コンフィグレーション、
（ｅ）前記基地局が各リレー端末に提供するセルの数、
（ｆ）前記基地局が各リレー端末に提供する１又はそれ以上のセルの種別、
（ｇ）前記基地局と各リレー端末との間で使用されるRadio Access Technology（RAT）又は通信方式、及び
（ｈ）前記基地局を提供するモバイルオペレータの名称又は識別子、
プログラム。
【国際調査報告】
2018105158.tif 000018
2018105158.tif 000019
2018105158.tif 000020
2018105158.tif 000021